(57)【要約】【課題】コンテンツの不正利用をより確実に防止することができるコンテンツファイルを記憶したコンピュータ読み取り可能な記録媒体を提供する。【解決手段】記録媒体１は、コンテンツデータ、及びコンテンツデータの再生を規制するための第１キーを含む規制プログラムからなるコンテンツファイルを記憶しており、このコンテンツファイルは、電気通信回線を介してコンテンツ管理サーバと接続可能なコンピュータによって読み出される。規制プログラムは、コンピュータの端末識別情報を生成してコンテンツ管理サーバに送信する処理と、コンテンツ管理サーバから送信される第３キーを受信して、受信した第３キーから、第１キーと対をなす第２キー及び端末識別情報を認識する処理と、認識した第２キーが第１キーと対をなすキーであり、且つ認識した端末識別情報が生成した端末識別情報と一致している場合に、コンテンツデータを再生させる処理とを行う。【選択図】図１
2006293566.tif 000002
【特許請求の範囲】
【請求項１】
コンテンツデータと、該コンテンツデータの再生を規制するためのプログラムであり、該規制に必要な第１キーを含む規制プログラムとからなるコンテンツファイルを記憶した記録媒体であって、
該記録媒体に格納されたコンテンツファイルは、コンピュータによって読み出されるように構成され、
前記規制プログラムは、前記コンテンツファイルが前記コンピュータ上で少なくとも初めて開かれるときに、前記コンピュータ上で、該コンピュータの固有情報に基づいた端末識別情報を生成するとともに、生成した端末識別情報をコンテンツ管理サーバに電気通信回線を介し接続して送信する処理と、前記コンテンツ管理サーバにより、前記送信した端末識別情報及び前記第１キーと対をなす第２キーを基にこれらの情報を含んだ第３キーが生成されて送信されると、該コンテンツ管理サーバから送信された第３キーを受信して、受信した第３キーから前記第２キー及び端末識別情報に相当する情報をそれぞれ認識し、認識した第２キーが該規制プログラム中の前記第１キーと対をなすキーであるか否かを確認するとともに、認識した端末識別情報が前記生成した端末識別情報と一致しているか否かを確認する処理と、認識した第２キーが前記第１キーと対をなすキーであり、且つ認識した端末識別情報が前記生成した端末識別情報と一致している場合に、前記コンテンツデータを再生させる処理とを行うように構成されてなることを特徴とする、コンテンツファイルを記憶したコンピュータ読み取り可能な記録媒体。
【請求項２】
前記規制プログラムは、その第１キーが前記コンテンツデータに応じて異なるように構成されて、前記端末識別情報を前記コンテンツ管理サーバに送信する処理を行うに当たり、該端末識別情報とともに、前記コンテンツデータを識別するためのコンテンツ識別情報を送信するように構成されてなることを特徴とする請求項１記載の、コンテンツファイルを記憶したコンピュータ読み取り可能な記録媒体。
【請求項３】
前記規制プログラムは、その第１キーが前記コンテンツデータに応じて異なるように構成されて、前記端末識別情報を前記コンテンツ管理サーバに送信する処理を行うに当たり、該端末識別情報とともに、前記コンテンツファイルに対して予め設定される、該コンテンツファイルを個別に識別するためのファイル識別情報を送信するように構成されてなることを特徴とする請求項１記載の、コンテンツファイルを記憶したコンピュータ読み取り可能な記録媒体。
【請求項４】
コンテンツデータと、該コンテンツデータの再生を規制するためのプログラムであり、該規制に必要な第１キーを含む規制プログラムとからなるコンテンツファイルを記憶した記録媒体であって、
該記録媒体に格納されたコンテンツファイルは、コンピュータによって読み出されるように構成され、
前記規制プログラムは、前記コンテンツファイルが前記コンピュータ上で少なくとも初めて開かれるときに、前記コンピュータ上で、該コンピュータの固有情報に基づいた端末識別情報を生成して該端末識別情報を前記コンピュータ上に画面表示すると共に、表示した端末識別情報をコンテンツ管理者に通知して、前記第１キーと対をなす第２キー及び前記端末識別情報を基にして生成されるキーであって、これらの情報を含む第３キーを前記コンテンツ管理者から入手して該コンピュータに入力するように促す画面表示を行う処理と、前記第３キーが入力されると、入力された第３キーから前記第２キー及び端末識別情報に相当する情報をそれぞれ認識し、認識した第２キーが該規制プログラム中の前記第１キーと対をなすキーであるか否かを確認するとともに、認識した端末識別情報が前記生成した端末識別情報と一致しているか否かを確認する処理と、認識した第２キーが前記第１キーと対をなすキーであり、且つ認識した端末識別情報が前記生成した端末識別情報と一致している場合に、前記コンテンツデータを再生させる処理とを行うように構成されてなることを特徴とする、コンテンツファイルを記憶したコンピュータ読み取り可能な記録媒体。
【請求項５】
前記規制プログラムは、その第１キーが前記コンテンツデータに応じて異なるように構成され、前記画面表示処理の際に、前記端末識別情報に加えて、前記コンテンツデータを識別するためのコンテンツ識別情報を画面表示すると共に、表示した端末識別情報及びコンテンツ識別情報をコンテンツ管理者に通知するように促す画面表示を行うように構成されてなることを特徴とする請求項４記載の、コンテンツファイルを記憶したコンピュータ読み取り可能な記録媒体。
【請求項６】
前記規制プログラムは、その第１キーが前記コンテンツデータに応じて異なるように構成され、前記画面表示処理の際に、前記端末識別情報に加えて、前記コンテンツファイルに対して予め設定される、該コンテンツファイルを個別に識別するためのファイル識別情報を画面表示すると共に、表示した端末識別情報及びファイル識別情報をコンテンツ管理者に通知するように促す画面表示を行うように構成されてなることを特徴とする請求項４記載の、コンテンツファイルを記憶したコンピュータ読み取り可能な記録媒体。
【請求項７】
前記コンテンツファイルのコンテンツデータは、前記規制プログラム中の前記第１キーにより暗号化されて構成され、
前記規制プログラムは、前記コンテンツデータを再生させる処理を行うに当たり、前記第２キーによって前記コンテンツデータを復号化するように構成されてなることを特徴とする請求項１乃至６記載のいずれかの、コンテンツファイルを記憶したコンピュータ読み取り可能な記録媒体。
【請求項８】
前記規制プログラムは、まず、１回目の実行であるか否かを確認する処理を行うように構成されて、１回目であるときには、前記各処理に加えて、生成した端末識別情報を前記コンピュータの記憶部内に格納する処理を更に行い、１回目以外であるときには、前記端末識別情報を再度生成して、再生成した端末識別情報が前記コンピュータの記憶部内に格納された端末識別情報と一致しているか否かを確認する処理と、一致していると判断した場合に、前記コンテンツデータを再生させる処理とを行うように構成されてなることを特徴とする請求項１乃至７記載のいずれかの、コンテンツファイルを記憶したコンピュータ読み取り可能な記録媒体。
【発明の詳細な説明】
【技術分野】
【０００１】
本発明は、コンテンツデータと、当該コンテンツデータの再生を規制する規制プログラムとからなるコンテンツファイルを記憶したコンピュータ読み取り可能な記録媒体に関する。
【背景技術】
【０００２】
近年、ゲーム，音楽，映画及び小説などのコンテンツに係るファイルを記憶したコンテンツ配信用のサーバと、前記コンテンツを利用するユーザのユーザ端末装置とが、インターネットなどの電気通信回線を介して接続され、コンテンツ配信用サーバ内の前記コンテンツに係るファイルがユーザ端末装置にダウンロード可能となったコンテンツ配信システムを用いてオンライン商取引が広く行われている。
【０００３】
そして、このようなコンテンツ配信システムとして、例えば、特開２００４−１７１３７７号公報に開示されたものが提案されており、このコンテンツ配信システムは、コンテンツファイルの識別コードを送信するユーザ端末装置と、ユーザ端末装置から識別コードを受信して当該識別コードの認証を行う認証サーバと、コンテンツファイルが格納され、当該コンテンツファイルをユーザ端末装置に送信する配信サーバとがインターネットを介し接続されて構成される。
【０００４】
前記コンテンツファイルの識別コードは、適宜販売されるカードなどに記載されるようになっており、ユーザは、所望のコンテンツに係る識別コードが記載された当該カードを購入することで、識別コードを知り、ユーザ端末装置に入力して認証サーバに送信する。
【０００５】
前記認証サーバは、識別コードと、当該識別コードが認証済みのコードであるか否かを示したデータとを関連付けて記憶する記憶部を備えており、ユーザ端末装置から送信された識別コードを受信すると、記憶部内に格納されたデータを参照して、受信した識別コードが認証済みのコードであるか否かを確認し、認証済みでない場合に、識別コード及びユーザ端末装置のアドレスを配信サーバに送信するとともに、記憶部内に格納されたデータを更新して当該識別コードを認証済みのコードに変更し、認証済みであった場合には、エラーメッセージをユーザ端末装置に返信する。
【０００６】
前記配信サーバは、認証サーバから送信された識別コード及びユーザ端末装置のアドレスを受信すると、受信した識別コードに対応するコンテンツファイルを、受信したユーザ端末装置のアドレスを基に当該ユーザ端末装置に送信する。
【０００７】
このように構成されたコンテンツ配信システムによれば、認証サーバによって、識別コードが認証済みのコードであるか否かが管理され、１つの識別コードに付き１回だけコンテンツファイルが配信サーバからユーザ端末装置に送信されるので、ユーザが不正に入手した使用済みの識別コードを用いてコンテンツを不正に利用するのが防止される。
【０００８】
また、このようなオンライン商取引が行われる一方で、前記コンテンツに係るファイルをＣＤ−ＲＯＭなどの記録媒体に格納して、これを販売店で販売するといった従来からの販売手法も採用されており、ユーザは、この記録媒体を購入することで、コンテンツを利用することが可能となる。
【０００９】
【特許文献１】特開２００４−１７１３７７号公報
【発明の開示】
【発明が解決しようとする課題】
【００１０】
しかしながら、上述のようなコンテンツ配信システムによって配信されたコンテンツファイルや、記録媒体に格納されたコンテンツファイルでは、当該コンテンツファイルが配信サーバからユーザ端末装置に送信されて格納されたり、記録媒体がユーザに販売されると、以降は、コンテンツの利用を制限することができないため、コンテンツファイルが違法にコピーされて第３者が利用可能となるなど、コンテンツの不正利用を防止することができないという問題があった。
【００１１】
本発明は、以上の実情に鑑みなされたものであって、コンテンツの不正利用をより確実に防止することができるコンテンツファイルを記憶したコンピュータ読み取り可能な記録媒体の提供をその目的とする。
【課題を解決するための手段】
【００１２】
上記目的を達成するための本発明は、
コンテンツデータと、該コンテンツデータの再生を規制するためのプログラムであり、該規制に必要な第１キーを含む規制プログラムとからなるコンテンツファイルを記憶した記録媒体であって、
該記録媒体に格納されたコンテンツファイルは、コンピュータによって読み出されるように構成され、
前記規制プログラムは、前記コンテンツファイルが前記コンピュータ上で少なくとも初めて開かれるときに、前記コンピュータ上で、該コンピュータの固有情報に基づいた端末識別情報を生成するとともに、生成した端末識別情報をコンテンツ管理サーバに電気通信回線を介し接続して送信する処理と、前記コンテンツ管理サーバにより、前記送信した端末識別情報及び前記第１キーと対をなす第２キーを基にこれらの情報を含んだ第３キーが生成されて送信されると、該コンテンツ管理サーバから送信された第３キーを受信して、受信した第３キーから前記第２キー及び端末識別情報に相当する情報をそれぞれ認識し、認識した第２キーが該規制プログラム中の前記第１キーと対をなすキーであるか否かを確認するとともに、認識した端末識別情報が前記生成した端末識別情報と一致しているか否かを確認する処理と、認識した第２キーが前記第１キーと対をなすキーであり、且つ認識した端末識別情報が前記生成した端末識別情報と一致している場合に、前記コンテンツデータを再生させる処理とを行うように構成されてなることを特徴とする、コンテンツファイルを記憶したコンピュータ読み取り可能な記録媒体に係る。
【００１３】
この発明によれば、コンテンツデータ及び規制プログラムからなるコンテンツファイルを記憶した記録媒体が販売店で販売されてユーザにより購入され、この記録媒体に格納されたコンテンツファイルが、当該ユーザの使用するコンピュータによって読み出されると、このコンピュータと、これに電気通信回線を介して接続するコンテンツ管理サーバとによって、記録媒体に格納されたコンテンツの管理システムが構築される。
【００１４】
尚、前記コンテンツデータとは、文字，音声，映像などの情報・データやコンピュータ・プログラムなどを言い、音楽，映画，小説などをデータ化したものや、ゲームソフトなどである。また、前記規制プログラムは、上述のように、コンテンツデータの再生を規制するためのものであり、当該規制に必要な第１キーを含んで構成される。
【００１５】
また、再生とは、音楽をデータ化したものである場合には、コンピュータのスピーカに当該音楽の音が出力されること、映画をデータ化したものである場合には、コンピュータの表示装置に映画が映し出されること、小説などをデータ化したものである場合には、当該小説の文章などが前記表示装置に表示されること、ゲームソフトである場合には、当該ゲームソフトをコンピュータ上で使用可能な状態にすることを意味する。
【００１６】
また、更に、前記コンテンツデータは、これを再生するための再生プログラムを含まず、前記コンピュータ側に予め格納されている適宜再生プログラムによって再生されるように構成されていても、再生プログラムを含み、この再生プログラムによって前記コンピュータ側で再生されるように構成されていても良い。
【００１７】
前記コンピュータにより読み出されたコンテンツファイルは、まず、その規制プログラムが実行され、当該規制プログラムに従い、当該コンピュータの固有情報、例えば、ＣＰＵ番号やハードディスク番号などに基づいた端末識別情報が生成されてコンテンツ管理サーバに送信される。
【００１８】
コンピュータから送信された端末識別情報は、コンテンツ管理サーバによって受信され、受信された端末識別情報及び前記第１キーと対をなす第２キーを基にこれらの情報を含んだ第３キーが生成される。そして、生成された第３キーは、コンテンツ管理サーバから、当該端末識別情報を送信したコンピュータに返信される。
【００１９】
コンテンツ管理サーバから返信された第３キーは、前記規制プログラムに従い、コンピュータによって受信され、受信した第３キーから第２キー及び端末識別情報に相当する情報がそれぞれ認識されて、認識された第２キーが当該規制プログラム中の第１キーと対をなすキーであるか否かが確認されるとともに、認識された端末識別情報が前記生成された端末識別情報と一致しているか否かが確認される。
【００２０】
そして、認識された第２キーが第１キーと対をなすキーであり、且つ認識された端末識別情報が生成された端末識別情報と一致している場合には、コンテンツファイルのコンテンツデータを再生させる処理が行われ、当該コンテンツデータがコンピュータ上で再生される。
【００２１】
このように、この発明によれば、コンテンツ管理サーバから送信される第３キー中の第２キーが、コンテンツファイルの規制プログラム中の第１キーと対をなし、且つ前記第３キー中の端末識別情報がコンピュータの端末識別情報と一致しない限り、規制プログラムによってコンテンツファイル中のコンテンツデータの再生が規制されるようになっており、コンテンツファイルが違法にコピーされ、更に第３キーに係る情報が知られたとしても、端末識別情報がコンピュータ毎に異なることから、規制プログラムによる規制を解除することができない。これにより、コンテンツの不正利用を有効に防止することができる。
【００２２】
尚、上述した規制プログラムでは、コンテンツデータを再生させるために、コンピュータとコンテンツ管理サーバとが電気通信回線を介して接続可能に構成されている必要があるが、ユーザの使用するコンピュータが電気通信回線を介してコンテンツ管理サーバと接続可能に構成されていないような場合にも対応させるべく、当該規制プログラムは、上記処理に代えて、以下に説明するような処理を行うように構成されていても良い。
【００２３】
即ち、コンテンツファイルがコンピュータにより読み出されて規制プログラムが実行されると、まず、当該コンピュータの固有情報に基づいた端末識別情報が生成されてコンピュータ上に画面表示されるとともに、表示された端末識別情報をコンテンツ管理者に通知して、第１キーと対をなす第２キー及び端末識別情報を基にして生成されるキーであって、これらの情報を含む第３キーを前記コンテンツ管理者から入手して当該コンピュータ内に入力するように促す画面が表示される。
【００２４】
このような表示画面を見たユーザは、表示された端末識別情報を、例えば、電話（自動応答するように構成された電話を含む）やファックスなどの通信手段を用いてコンテンツ管理者に連絡し、当該コンテンツ管理者は、ユーザから伝えられた端末識別情報などを基に第３キーを生成して当該ユーザに通知する。
【００２５】
この後、ユーザがコンテンツ管理者から通知された第３キーをコンピュータに入力すると、当該規制プログラムに従い、入力された第３キーが受け付けられ、上記と同様に、入力された第３キーから第２キー及び端末識別情報に相当する情報がそれぞれ認識されて、認識された第２キーが当該規制プログラム中の第１キーと対をなすキーであるか否かが確認されるとともに、認識された端末識別情報が前記生成された端末識別情報と一致しているか否かが確認される。
【００２６】
そして、認識された第２キーが第１キーと対をなすキーであり、且つ認識された端末識別情報が生成された端末識別情報と一致している場合には、コンテンツファイルのコンテンツデータを再生させる処理が行われる。斯くして、前記規制プログラムをこのように構成しても、上記と同様の効果を得ることができる。
【００２７】
また、前記規制プログラムは、その第１キーが前記コンテンツデータに応じて異なるように構成されて、前記端末識別情報を前記コンテンツ管理サーバに送信する処理を行うに当たり、該端末識別情報とともに、前記コンテンツデータを識別するためのコンテンツ識別情報を送信したり、前記画面表示処理の際に、前記端末識別情報に加えて前記コンテンツ識別情報を画面表示すると共に、表示した端末識別情報及びコンテンツ識別情報をコンテンツ管理者に通知するように促す画面表示を行うように構成されても良い。
【００２８】
この場合、コンテンツ管理サーバでは、コンピュータから送信されたコンテンツ識別情報を基に、当該コンテンツ識別情報によって特定されるコンテンツデータに対応した規制プログラム中の第１キーと対をなす第２キーが認識され、認識された第２キー及び送信された端末識別情報を基に前記第３キーが生成される。或いは、同様に、コンテンツ管理者側では、ユーザから伝えられたコンテンツ識別情報を基に第２キーが認識されて第３キーが生成される。
【００２９】
また、前記コンテンツ識別情報は、例えば、予めユーザに通知されたものや、コンテンツファイルが格納された記録媒体に添付の表示ラベルに表示されたものが当該ユーザにより入力されて送信されたり、コンテンツファイル中に含まれていたものが送信又は画面表示される。
【００３０】
このようにすれば、規制プログラム中の第１キーをコンテンツデータに応じて変えることで、当該第１キーと対をなす第２キーをコンテンツデータ毎に変えることができるので、コンテンツデータ（コンテンツファイル）間における第３キーの流用などを防止して、より確実にコンテンツの不正利用を防止することができる。
【００３１】
また、前記規制プログラムは、その第１キーが前記コンテンツデータに応じて異なるように構成されて、前記端末識別情報を前記コンテンツ管理サーバに送信する処理を行うに当たり、該端末識別情報とともに、前記コンテンツファイルに対して予め設定される、該コンテンツファイルを個別に識別するためのファイル識別情報を送信したり、前記画面表示処理の際に、前記端末識別情報に加えて前記ファイル識別情報を画面表示すると共に、表示した端末識別情報及びファイル識別情報をコンテンツ管理者に通知するように促す画面表示を行うように構成されても良い。
【００３２】
この場合、コンテンツ管理サーバでは、コンピュータから送信されたファイル識別情報を基に、当該ファイル識別情報によって特定されるコンテンツファイルの規制プログラム中の第１キーと対をなす第２キーが認識され、認識された第２キー及び送信された端末識別情報を基に前記第３キーが生成される。或いは、同様に、コンテンツ管理者側では、ユーザから伝えられたファイル識別情報を基に第２キーが認識されて第３キーが生成される。
【００３３】
また、前記ファイル識別情報は、上記と同様に、例えば、予めユーザに通知されたものや、コンテンツファイルが格納された記録媒体に添付の表示ラベルに表示されたものが当該ユーザにより入力されて送信されたり、コンテンツファイル中に含まれていたものが送信又は画面表示される。
【００３４】
このようにしても、上記と同様に、規制プログラム中の第１キーをコンテンツデータ毎に変えて、当該第１キーと対をなす第２キーをコンテンツデータ毎に変え、コンテンツデータ（コンテンツファイル）間における第３キーの流用などを防止することができて好都合である。
【００３５】
また、前記コンテンツファイルのコンテンツデータは、前記規制プログラム中の前記第１キーにより暗号化されて構成され、前記規制プログラムは、前記コンテンツデータを再生させる処理を行うに当たり、前記第２キーによって前記コンテンツデータを復号化するように構成されていても良く、このようにすれば、コンテンツファイル中のコンテンツデータが暗号化されているので、コンテンツの不正利用をより効果的に防止することができる。
【００３６】
また、前記規制プログラムは、まず、１回目の実行であるか否かを確認する処理を行うように構成されて、１回目であるときには、前記各処理に加えて、生成した端末識別情報を前記コンピュータの記憶部内に格納する処理を更に行い、１回目以外であるときには、前記端末識別情報を再度生成して、再生成した端末識別情報が前記コンピュータの記憶部内に格納された端末識別情報と一致しているか否かを確認する処理と、一致していると判断した場合に、前記コンテンツデータを再生させる処理とを行うように構成されていても良い。
【００３７】
例えば、コンテンツファイルが初めて開かれるときにのみ、規制プログラムが実行されるように構成されていると、当該規制プログラムが一度実行されて当該規制プログラムによる規制が解除された後は、何の制限もなくコンテンツを利用可能となるため、当該コンテンツファイルが不正にコピーされて利用される恐れがある。
【００３８】
そこで、２回目以降の実行時にも、端末識別情報を確認すれば、コンテンツファイルがコピーされたとしても、端末識別情報が異なっていると、当該コンテンツファイル中のコンテンツデータを再生することができないので、コンテンツの不正利用をより確実に防止することができる。また、２回目以降の実行時には、コンピュータとコンテンツ管理サーバとの間でデータの送受信や、ユーザとコンテンツ管理者との間で情報のやりとりが行われないので、効率的に規制プログラムによる規制を解除することができる。尚、規制プログラムの実行回数が１回目であるか否かは、例えば、コンピュータの適宜記憶部内に端末識別情報が格納されているか否かで判断することができる。
【発明の効果】
【００３９】
以上のように、本発明に係るコンテンツファイルを記憶したコンピュータ読み取り可能な記録媒体によれば、コンテンツの不正利用をより確実に防止することができる。
【発明を実施するための最良の形態】
【００４０】
以下、本発明の具体的な実施形態について、添付図面に基づき説明する。尚、図１は、本発明の一実施形態に係るＣＤ−ＲＯＭに格納されたコンテンツファイルを示す説明図であり、図２は、本実施形態に係るＣＤ−ＲＯＭに格納されたコンテンツファイルなどを基に構築されるコンテンツ管理システムの概略構成を示したブロック図である。
【００４１】
図１に示すように、本例のＣＤ−ＲＯＭ（コンピュータ読み取り可能な記録媒体）１は、コンテンツデータと、当該コンテンツデータの再生を規制するためのプログラムであって当該規制に必要な第１キーを含んだ規制プログラムとからなるコンテンツファイルを記憶しており、このＣＤ−ＲＯＭ１の収納ケースには、前記コンテンツファイル（ＣＤ−ＲＯＭ１）に対して予め設定される、当該コンテンツファイル（ＣＤ−ＲＯＭ１）を個別に識別するためのプロダクトＩＤ（ファイル識別情報）の表示された表示ラベルが添付されている。
【００４２】
前記ＣＤ−ＲＯＭ１に格納されたコンテンツファイルは、ＣＰＵ，ＲＯＭ，ＲＡＭ，ハードディスク，ＣＤ−ＲＯＭドライブなどを備えたコンピュータからなるユーザ端末装置４によって読み出され、適宜記憶部内に格納されるようになっており、当該記憶部内に格納されたコンテンツファイルが当該ユーザ端末装置４によって読み出されると、図２に示すように、このユーザ端末装置４とコンテンツ管理サーバ３とがインターネット５を介し相互に接続されて構成されるコンテンツ管理システム２が構築される。
【００４３】
前記コンテンツデータは、文字，音声，映像などの情報・データ（小説，エッセイ，音楽，映画，写真，絵画，デザインなど）をデータ化したものや、ゲームソフトなどのコンピュータ・プログラムであり、これを再生するための再生プログラムを含まず、ユーザ端末装置４側に予め格納されている適宜再生プログラムによって再生されるように構成されたり、再生プログラムを含み、この再生プログラムによってユーザ端末装置４側で再生されるように構成されている。
【００４４】
前記規制プログラムは、その第１キーによってコンテンツデータを暗号化しており、コンテンツデータに応じて異なる第１キーを備えている。また、規制プログラムは、前記コンテンツファイルがユーザ端末装置４上で開かれると、以下のような処理を行うように構成されている。
【００４５】
即ち、前記規制プログラムは、ユーザ端末装置４上で、まず、予め設定されたキー入力があったか否か（規制解除処理を強制的に行わないようにするための操作の一つとして予め設定された所定のキー入力がないか）を確認する処理を行って、あった場合には、前記コンテンツデータを再生させる処理を行うように構成される。他方、前記キー入力がなかった場合には、まず、１回目の実行であるか否かを確認する処理を行い、１回目であるときには、当該ユーザ端末装置４の固有情報、例えば、ＣＰＵ番号やハードディスク番号などに基づいたＩＤ番号（端末ＩＤ（端末識別情報））を生成するとともに、ユーザによって当該ユーザ端末装置４に入力されるプロダクトＩＤを受け付けて、生成した端末ＩＤ及び受け付けたプロダクトＩＤをコンテンツ管理サーバ３に送信する処理と、コンテンツ管理サーバ３から送信される後述の第３キーを受信して、受信した第３キーから後述の第２キー及び端末ＩＤに相当する情報をそれぞれ認識し、認識した第２キーが当該規制プログラム中の第１キーと対をなすキーであるか否かを確認するとともに、認識した端末ＩＤが前記生成した端末ＩＤと一致しているか否かを確認する処理と、認識した第２キーが前記第１キーと対をなすキーであり、且つ認識した端末ＩＤが前記生成した端末ＩＤと一致している場合に、前記第２キーにより前記コンテンツデータを復号化して再生させるとともに、前記生成した端末ＩＤをユーザ端末装置４の記憶部内に格納する処理とを行う一方、１回目以外であったときには、前記端末ＩＤを再度生成して、再生成した端末ＩＤがユーザ端末装置４の記憶部内に格納された端末ＩＤと一致しているか否かを確認する処理と、一致していると判断した場合に、コンテンツデータを再生させる処理とを行うように構成される。
【００４６】
尚、前記ＣＤ−ＲＯＭ１は、それぞれ異なるコンテンツデータを記憶したものや、同一のコンテンツデータを記憶したものが複数生産されて販売店で販売されるようになっており、前記ユーザ端末装置４を使用するユーザによって、所望のコンテンツデータを記憶したものが適宜購入される。
【００４７】
また、前記コンテンツファイルは、図３に示すようなファイル生成装置２０によって生成されるようになっており、このファイル生成装置２０は、前記コンテンツデータを記憶するデータ記憶部２１と、データ記憶部２１に格納されたコンテンツデータに規制プログラムを付加するとともに、コンテンツデータを規制プログラム中の第１キーにより暗号化して、前記コンテンツファイルを生成する処理、及び規制プログラム中の第１キーと対をなす第２キーを生成する処理を行うファイル生成部２２と、ファイル生成部２２によって生成されたコンテンツファイルを記憶するファイル記憶部２３と、ファイル生成部２２によって生成された第２キーを記憶するキー記憶部２４とを備える。そして、前記ファイル記憶部２３に格納されたコンテンツファイルは、適宜装置（図示せず）により前記ＣＤ−ＲＯＭ１に格納される。
【００４８】
前記コンテンツ管理サーバ３は、前記ユーザ端末装置４と同様、ＣＰＵ，ＲＯＭ，ＲＡＭ，ハードディスクなどを備えたコンピュータからなり、キー記憶部１１，管理情報記憶部１２，送受信制御部１３，キー生成部１４及び通信インターフェース１５などを備え、通信インターフェース１５を介してインターネット５に接続している。
【００４９】
前記キー記憶部１１には、図４に示すように、コンテンツファイル名と、プロダクトＩＤと、前記キー記憶部２４に格納された第２キーであって、プロダクトＩＤによって特定されるコンテンツファイルの規制プログラム中の第１キーと対をなす第２キーとがそれぞれ関連付けられて格納される。
【００５０】
前記管理情報記憶部１２には、図５に示すように、コンテンツファイル名と、プロダクトＩＤと、プロダクトＩＤ毎の管理情報とがそれぞれ関連付けられて格納されており、この管理情報としては、例えば、後述する第３キーの生成可能な回数及び期間や、当該第３キーの生成実績などが挙げられる。
【００５１】
前記送受信制御部１３は、ユーザ端末装置４から送信される端末ＩＤ及びプロダクトＩＤを受信すると、受信した端末ＩＤ及びプロダクトＩＤをキー生成部１４に転送する処理と、キー生成部１４から送信される第３キーを受信すると、受信した第３キーをユーザ端末装置４に送信する処理とを行う。
【００５２】
前記キー生成部１４は、送受信制御部１３から転送される端末ＩＤ及びプロダクトＩＤを受信すると、受信したプロダクトＩＤを基に管理情報記憶部１２に格納されたデータを参照して、当該プロダクトＩＤに対応した管理情報を基に一定条件を満たしているか否かを確認する処理と、一定条件を満たしている場合に（第３キーの生成実績が第３キーの生成可能な回数に達していない場合であり、且つ第３キーの生成可能な期間内である場合に）、受信したプロダクトＩＤを基にキー記憶部１１に格納されたデータを参照して、当該プロダクトＩＤと関連付けられた第２キーを認識し、認識した第２キー及び受信した端末ＩＤを基にこれらの情報を含んだ第３キーを生成する処理と、管理情報記憶部１２に格納された、受信したプロダクトＩＤに対応する第３キーの生成実績を更新する処理と、生成した第３キーを送受信制御部１３に送信する処理とを行う。
【００５３】
以上のように構成された本例のＣＤ−ＲＯＭ１によれば、ユーザによって、所望のコンテンツデータを含むコンテンツファイルの格納されたＣＤ−ＲＯＭ１が販売店で購入され、当該ＣＤ−ＲＯＭ１に格納されたコンテンツファイルが、当該ユーザの使用するユーザ端末装置４の適宜記憶部内に格納される。
【００５４】
そして、ユーザ端末装置４の適宜記憶部内に格納されたコンテンツファイルが開かれると、当該ユーザ端末装置４とコンテンツ管理サーバ３とによりコンテンツ管理システム２が構築され、図６及び図７に示すようにして規制プログラム（認証処理）が実行された後、コンテンツデータが再生される。
【００５５】
即ち、コンテンツファイルが開かれると、規制プログラムが実行され（ステップＳ１）、この規制プログラムは、まず、予め設定されたキー入力があったか否か（規制解除処理を強制的に行わないようにするための操作の一つとして予め設定された所定のキー入力がないか）を確認する処理を行って（ステップＳ２）、なかった場合には、当該規制プログラムの実行が１回目であるか否かを確認する処理を行う（ステップＳ３）。尚、規制プログラムの実行が１回目であるか否かは、後述のステップＳ１６で生成，格納される規制解除データがあるか否かで判断され、当該規制解除データがない場合には１回目と、当該規制解除データがある場合には１回目以外と判断される。一方、ステップＳ２であった場合には、ステップＳ１７に進む。
【００５６】
ステップＳ３で１回目と判断すると、当該ユーザ端末装置４の固有情報（ＣＰＵ番号やハードディスク番号など）に基づいた端末ＩＤを生成するとともに、ユーザによってユーザ端末装置４に入力される、ＣＤ−ＲＯＭ１の収納ケースに添付の表示ラベルに表示されたプロダクトＩＤを受け付けて、生成した端末ＩＤ及び受け付けたプロダクトＩＤをコンテンツ管理サーバ３に送信する処理を行う（ステップＳ４）。
【００５７】
ユーザ端末装置４から送信された端末ＩＤ及びプロダクトＩＤは、コンテンツ管理サーバ３の送受信制御部１３により受信されてキー生成部１４に転送され（ステップＳ５）、当該キー生成部１４は、まず、転送されたプロダクトＩＤを基に管理情報記憶部１２内のデータを参照して、当該プロダクトＩＤに対応した管理情報を基に一定条件を満たしているか否かを確認する（ステップＳ６）
【００５８】
ステップＳ６で一定条件を満たしている（第３キーの生成実績が第３キーの生成可能な回数に達していない場合であり、且つ第３キーの生成可能な期間内である場合）と判断すると、転送されたプロダクトＩＤを基にキー記憶部１１内のデータを参照して、当該プロダクトＩＤと関連付けられた第２キーを認識し（ステップＳ７）、認識した第２キー及び転送された端末ＩＤを基にこれらの情報を含んだ第３キーを生成する（ステップＳ８）。
【００５９】
次に、管理情報記憶部１２内の、転送されたプロダクトＩＤに対応する第３キーの生成実績を更新し、また、前記生成した第３キーを送受信制御部１３に送信して、当該送受信制御部１３によりユーザ端末装置４に返信させる（ステップＳ９）。一方、ステップＳ６で一定条件を満たしていないと判断すると、エラーメッセージを生成して送受信制御部１３に送信し、当該送受信制御部１３による制御の下、ユーザ端末装置４に返信する（ステップＳ１０）。
【００６０】
送受信制御部１３によって返信された第３キー又はエラーメッセージは、前記規制プログラムに従い、ユーザ端末装置４によって受信され（ステップＳ１１）、当該規制プログラムは、まず、受信した情報が第３キー及びエラーメッセージのどちらであるかを確認する処理を行い（ステップＳ１２）、エラーメッセージである場合には、これをユーザ端末装置４の表示装置に表示する処理を行う（ステップＳ１３）。
【００６１】
一方、ステップＳ１２で第３キーであると判断した場合には、受信した第３キーから第２キー及び端末ＩＤに相当する情報をそれぞれ認識して、認識した第２キーが当該規制プログラム中の第１キーと対をなすキーであるか否かを確認する処理を行い（ステップＳ１４）、対をなすキーであると判断した場合には、更に、前記認識した端末ＩＤがステップＳ４で生成した端末ＩＤと一致しているか否かを確認する処理を行う（ステップＳ１５）。
【００６２】
ステップＳ１５で一致していると判断すると、当該第２キー及び端末ＩＤなどからなる規制解除データを生成してユーザ端末装置４の適宜記憶部内に格納するとともに、当該規制解除データを格納した記憶部のアドレス（格納アドレス）を前記規制解除データに付加する処理を行い（ステップＳ１６）、ステップＳ１７に進む。
【００６３】
一方、ステップＳ３で１回目以外と判断すると、ステップＳ１６で生成，格納した規制解除データの内容を確認する処理を行って（ステップＳ１８）、その内容が正しいか否かを判断する処理を行う（ステップＳ１９）。具体的には、当該ユーザ端末装置４の固有情報に基づいた端末ＩＤを再度生成して、再生成した端末ＩＤが規制解除データの端末ＩＤと一致しているか否かを確認するとともに、規制解除データが格納されている記憶部のアドレスが規制解除データの格納アドレスと一致しているか否かを確認する。尚、１回目の実行時には、ユーザ端末装置４は、インターネット５を介してコンテンツ管理サーバ３に接続されていなければならないが、２回目以降の実行時には、ユーザ端末装置４はコンテンツ管理サーバ３に接続されていなくて良い。
【００６４】
ステップＳ１９で、再生成した端末ＩＤが規制解除データの端末ＩＤと一致しており、且つ規制解除データが格納されている記憶部のアドレスが規制解除データの格納アドレスと一致している場合には、ステップＳ１７に進み、当該ステップＳ１７では、ユーザ端末装置４側に予め格納されている適宜再生プログラムや、コンテンツファイル中の適宜再生プログラムを実行させて前記コンテンツデータを再生させる処理を行う。
【００６５】
尚、再生とは、音楽をデータ化したものである場合には、ユーザ端末装置４のスピーカに当該音楽の音が出力されること、映画をデータ化したものである場合には、ユーザ端末装置４の表示装置に映画が映し出されること、小説などをデータ化したものである場合には、当該小説の文章などが前記表示装置に表示されること、ゲームソフトである場合には、当該ゲームソフトをユーザ端末装置４上で使用可能な状態にすることである。
【００６６】
一方、ステップＳ１４で、認識した第２キーが当該規制プログラム中の第１キーと対をなすキーでないと判断した場合、ステップＳ１５で、前記認識した端末ＩＤがステップＳ４で生成した端末ＩＤと一致していないと判断した場合、ステップＳ１９で、再生成した端末ＩＤが規制解除データの端末ＩＤと一致していない、又は、規制解除データが格納されている記憶部のアドレスが規制解除データの格納アドレスと一致していない場合には、ステップＳ２０に進んで、規制プログラムによる規制の解除を要求する旨のメッセージを生成して、ユーザ端末装置４の表示装置に表示する処理を行う。
【００６７】
以上詳述したように、本例の、コンテンツファイルを記憶したＣＤ−ＲＯＭ１によれば、コンテンツ管理サーバ３から送信される第３キー中の第２キーが、コンテンツファイルの規制プログラム中の第１キーと対をなし、且つ前記第３キー中の端末ＩＤがユーザ端末装置４の端末ＩＤと一致しない限り、規制プログラムによってコンテンツファイル中のコンテンツデータの再生が規制されるようになっており、コンテンツファイルが違法にコピーされ、更に第３キーに係る情報が知られたとしても、端末ＩＤがユーザ端末装置４毎に異なることから、規制プログラムによる規制を解除することができない。これにより、コンテンツの不正利用を有効に防止することができる。
【００６８】
また、規制プログラム中の第１キーをコンテンツデータ毎に変えているので、当該第１キーと対をなす第２キーをコンテンツデータ毎に変えることができ、コンテンツデータ（コンテンツファイル）間における第３キーの流用などを防止して、より確実にコンテンツの不正利用を防止することができる。
【００６９】
また、コンテンツファイルのコンテンツデータを規制プログラム中の第１キーによって暗号化し、第３キー中の第２キーによって当該コンテンツデータを復号化するように構成しているので、コンテンツの不正利用をより効果的に防止することができる。
【００７０】
また、コンテンツファイルが開かれる度に規制プログラムを実行させるとともに、その実行回数を確認して実行回数が２回目以降のときには、端末ＩＤを再生成して規制解除データの端末ＩＤと一致しているか否か、及び規制解除データが格納されている記憶部のアドレスが規制解除データの格納アドレスと一致しているか否かを確認するようにしているので、コンテンツの不正利用をより確実に防止することができる。
【００７１】
これは、コンテンツファイルがコピーされて、異なるユーザ端末装置４に格納されると、端末ＩＤや規制解除データの格納された記憶部のアドレスが異なることになるため、コピーされたコンテンツデータの再生を有効に阻止することができるからである。また、例えば、コンテンツファイルが初めて開かれるときにのみ、規制プログラムが実行されるように構成されていると、当該規制プログラムが一度実行されて当該規制プログラムによる規制が解除された後は、何の制限もなくコンテンツを利用可能となるため、このような不都合をなくすこともできる。
【００７２】
また、２回目以降の実行時には、ユーザ端末装置４とコンテンツ管理サーバ３との間でデータの送受信が行われないので、効率的に規制プログラムによる規制を解除することができる。
【００７３】
また、ユーザによってユーザ端末装置４に所定のキー入力（規制解除処理を強制的に行わないようにするための所定のキー入力）がされると、当該ユーザ端末装置４及びコンテンツ管理サーバ３間で、データの送受信を行わずに規制を解除するようにしているので、何らかのエラーなどが発生して、通常の規制解除処理（ステップＳ３〜ステップＳ２０の処理）を実行することができない場合などに好都合である。
【００７４】
また、コンテンツ管理サーバ３のキー生成部１４を、これが、プロダクトＩＤを基に管理情報記憶部１２内に格納された管理情報を参照して一定条件を満たしているときにのみ第３キーを生成するように構成しているので、当該プロダクトＩＤ毎やコンテンツファイル（コンテンツデータ）毎にユーザの利用を細かく制限することが可能となり、更に効果的にコンテンツの不正利用を防止することができる。
【００７５】
以上、本発明の一実施形態について説明したが、本発明の採り得る具体的な態様は、何らこれに限定されるものではない。
【００７６】
上例では、規制プログラムは、プロダクトＩＤをコンテンツ管理サーバ３に送信するように構成されていたが、これに限られるものではなく、コンテンツデータを識別するためのコンテンツ識別情報をコンテンツ管理サーバ３に送信するように構成されていても良い。尚、このコンテンツ識別情報は、例えば、予めユーザに通知されたものや、ＣＤ−ＲＯＭ１の収納ケースに添付の表示ラベルに表示されたものが当該ユーザにより入力されて、生成された端末ＩＤとともに、ユーザ端末装置４からコンテンツ管理サーバ３に送信されたり、コンテンツファイル中に含まれていたものが、生成された端末ＩＤとともに、自動的にユーザ端末装置４からコンテンツ管理サーバ３に送信される。
【００７７】
この場合、前記キー記憶部１１には、コンテンツ識別情報と、コンテンツファイル名と、コンテンツ識別情報によって特定されるコンテンツデータに対応した規制プログラム中の第１キーと対をなす第２キーとがそれぞれ関連付けられて格納され、前記管理情報記憶部１２には、コンテンツ識別情報と、コンテンツファイル名と、コンテンツ識別情報毎の管理情報とがそれぞれ関連付けられて格納され、前記キー生成部１４は、ユーザ端末装置４から送信されたコンテンツ識別情報を基に、キー記憶部１１に格納された第２キーや、管理情報記憶部１２に格納された管理情報を認識する。
【００７８】
また、上例の規制プログラムでは、コンテンツデータを再生させるために、ユーザ端末装置４とコンテンツ管理サーバ３とがインターネット５を介して接続可能に構成されている必要があるが、ユーザの使用するコンピュータがインターネット５を介してコンテンツ管理サーバ３と接続可能に構成されていないような場合にも対応させるべく、当該規制プログラムは、図６及び図７に示した処理に代えて、図８に示すような処理を行うように構成しても良い。
【００７９】
即ち、当該コンピュータ上でコンテンツファイルが開かれて規制プログラムが実行されると（ステップＳ３１）、当該規制プログラムは、まず、規制解除処理を強制的に行わないようにするための所定のキー入力があったか否かを確認する処理を行って（ステップＳ３２）、なかった場合には、当該規制プログラムの実行が１回目であるか否かを確認する処理を行う（ステップＳ３３）。尚、規制プログラムの実行が１回目であるか否かは、後述のステップＳ３８で生成，格納される規制解除データがあるか否かで判断される。一方、ステップＳ３２であった場合には、ステップＳ３９に進む。
【００８０】
ステップＳ３３で１回目と判断すると、当該コンピュータの固有情報に基づいた端末ＩＤを生成して、生成した端末ＩＤ及び第３キーの入力画面をコンピュータの表示装置に画面表示する処理を行う（ステップＳ３４）。尚、このとき、当該コンピュータの表示装置上には、この他、表示された端末ＩＤ及びＣＤ−ＲＯＭ１の収納ケースに添付の表示ラベルに表示されたプロダクトＩＤを、コンテンツ管理者に通知するように促す旨のメッセージや、第３キーの入力を促す旨のメッセージが画面表示される。
【００８１】
そして、このような表示画面を見たユーザが、表示された端末ＩＤ及びプロダクトＩＤを、例えば、電話（自動応答するように構成された電話を含む）やファックスなどの通信手段を用いてコンテンツ管理者に連絡すると、当該コンテンツ管理者は、ユーザから伝えられた端末ＩＤ及びプロダクトＩＤを基に第３キーを生成して当該ユーザに通知する。尚、コンテンツ管理者側では、例えば、オペレータが、ユーザから得られた情報を基に、適宜キー生成装置により、上述したコンテンツ管理サーバ３におけるステップＳ５〜ステップＳ１０に示すような処理を実行させることで、第３キーが生成される。
【００８２】
この後、ユーザがコンテンツ管理者側から通知された第３キーをコンピュータに入力すると、当該規制プログラムに従い、入力された第３キーが受け付けられ（ステップＳ３５）、当該規制プログラムは、まず、入力された第３キーから第２キー及び端末ＩＤに相当する情報をそれぞれ認識して、認識した第２キーが当該規制プログラム中の第１キーと対をなすキーであるか否かを確認する処理を行い（ステップＳ３６）、対をなすキーであると判断した場合には、更に、前記認識した端末ＩＤがステップＳ３４で生成した端末ＩＤと一致しているか否かを確認する処理を行う（ステップＳ３７）。
【００８３】
ステップＳ３７で一致していると判断すると、当該第２キー及び端末ＩＤなどからなる規制解除データを生成してコンピュータの適宜記憶部内に格納するとともに、当該規制解除データを格納した記憶部のアドレス（格納アドレス）を前記規制解除データに付加する処理を行い（ステップＳ３８）、ステップＳ３９に進む。
【００８４】
一方、ステップＳ３３で１回目以外と判断すると、ステップＳ３８で生成，格納した規制解除データの内容を確認する処理を行って（ステップＳ４０）、その内容が正しいか否かを判断する処理を行う（ステップＳ４１）。具体的には、当該コンピュータの固有情報に基づいた端末ＩＤを再度生成して、再生成した端末ＩＤが規制解除データの端末ＩＤと一致しているか否かを確認するとともに、規制解除データが格納されている記憶部のアドレスが規制解除データの格納アドレスと一致しているか否かを確認する。
【００８５】
ステップＳ４１で、再生成した端末ＩＤが規制解除データの端末ＩＤと一致しており、且つ規制解除データが格納されている記憶部のアドレスが規制解除データの格納アドレスと一致している場合には、ステップＳ３９に進み、当該ステップＳ３９では、適宜再生プログラムを実行させて前記コンテンツデータを再生させる処理を行う。
【００８６】
一方、ステップＳ３６で、認識した第２キーが当該規制プログラム中の第１キーと対をなすキーでないと判断した場合、ステップＳ３７で、前記認識した端末ＩＤがステップＳ３４で生成した端末ＩＤと一致していないと判断した場合、ステップＳ４１で、再生成した端末ＩＤが規制解除データの端末ＩＤと一致していない、又は、規制解除データが格納されている記憶部のアドレスが規制解除データの格納アドレスと一致していない場合には、ステップＳ４２に進んで、規制プログラムによる規制の解除を要求する旨のメッセージを生成して、コンピュータの表示装置に表示する処理を行う。
【００８７】
斯くして、このように規制プログラムを構成しても、上記と同様の効果を得ることができる。尚、上述のように、ステップＳ３４では、端末ＩＤを表示させたが、この他、コンテンツファイル中に含まれているコンテンツ識別情報やファイル識別情報などを、端末ＩＤとともに表示させて、ユーザに、当該端末ＩＤとコンテンツ識別情報又はファイル識別情報とをコンテンツ管理者側に通知させるようにすることもできる。そして、コンテンツ管理者側では、通知された端末ＩＤとコンテンツ識別情報又はファイル識別とを基に第３キーが生成される。
【００８８】
また、コンテンツがゲームソフトなどの場合、どのようなゲームであるかをユーザに理解してもらうために、コンテンツを無料で少しだけ利用させる体験版と呼ばれるコンテンツデータを作成することがある。このような場合、体験版のコンテンツデータと、体験版ではない正規版としてのコンテンツデータとを用意しなければならないが、体験版のコンテンツデータと正規版のコンテンツデータとを一つのコンテンツファイルにまとめ、前記規制プログラムによって規制解除処理が実行されたときに、正規版におけるコンテンツ内容を利用可能にすれば、体験版と正規版との間でデータの共用化を図ることができるなど効率的となる。例えば、ユーザが適切な利用料金を支払ったときに、管理情報記憶部１２に格納された管理情報を、第３キーを生成可能に変更することで、規制プログラムによる規制を解除して、正規版に係るコンテンツデータをユーザ端末装置４上で実行させることができる。
【００８９】
また、上例では、コンテンツファイルを記録媒体たるＣＤ−ＲＯＭ１に格納するようにしたが、記録媒体はＣＤ−ＲＯＭ１に限定されるものではない。
【図面の簡単な説明】
【００９０】
【図１】本発明の一実施形態に係るＣＤ−ＲＯＭに格納されたコンテンツファイルを示す説明図である。
【図２】本実施形態に係るＣＤ−ＲＯＭに格納されたコンテンツファイルなどを基に構築されるコンテンツ管理システムの概略構成を示したブロック図である。
【図３】本実施形態に係るファイル生成装置の概略構成を示したブロック図である。
【図４】本実施形態に係るキー記憶部に格納されたデータのデータ構成を示した説明図である。
【図５】本実施形態に係る管理情報記憶部に格納されたデータのデータ構成を示した説明図である。
【図６】本実施形態に係る規制解除処理を説明するためのフローチャートである。
【図７】本実施形態に係る規制解除処理を説明するためのフローチャートである。
【図８】本発明の他の実施形態に係る規制解除処理を説明するためのフローチャートである。
【符号の説明】
【００９１】
１    ＣＤ−ＲＯＭ
２    コンテンツ配信システム
３    コンテンツ管理サーバ
４    ユーザ端末装置
５    インターネット
１１  管理側キー記憶部
１２  管理情報記憶部
１３  送受信制御部
１４  キー生成部
２０  ファイル生成装置
２１  データ記憶部
２２  ファイル生成部
２３  ファイル記憶部
２４  キー記憶部
【図１】
2006293566.tif 000003
【図２】
2006293566.tif 000004
【図３】
2006293566.tif 000005
【図４】
2006293566.tif 000006
【図５】
2006293566.tif 000007
【図６】
2006293566.tif 000008
【図７】
2006293566.tif 000009
【図８】
2006293566.tif 000010